(57)【要約】【課題】押し釦を備えた情報入力装置において、操作感を損なわない安価な構成で、外来の静電気が電気回路へ流入することを防ぐことを可能にした操作スイッチユニットを提供すること。【解決手段】押し釦と、プリント基板と、プリント基板上に実装され押し釦が押下されることによりプリント基板の配線板に形成した銅箔パターンと導通するドームスイッチと、絶縁性を有し、ドームスイッチをプリント基板に保持する保持シートと、プリント基板が取り付けられる金属の受け板と、プリント基板を受け板に取り付けるための両面テープと、を備えた操作装置であって、配線板は、ドームスイッチの投影領域内に貫通穴を有し、両面テープは、貫通穴投影部を含んだ一部領域が切り欠かれると共に、少なくとも組付け状態で領域よりも広い領域を覆うように絶縁シートが受け板に貼付されることを特徴とする。【選択図】図２
2017050225.tif 000002
【特許請求の範囲】
【請求項１】
押し釦（８２）、（８３）と、
プリント基板（９０）と、
前記プリント基板（９０）上に実装され前記押し釦（８２）、（８３）が押下されることにより前記プリント基板（９０）の配線板（９２）に形成した銅箔パターンと導通するドームスイッチ（９１）と、
絶縁性を有し、前記ドームスイッチ（９１）を前記プリント基板（９０）に保持する保持シート（９４）と、
前記プリント基板（９０）が取り付けられる金属の受け板（８６）と、
前記プリント基板（９０）を受け板（８６）に取り付けるための両面テープ（９５）と、
を備えた操作装置であって、
前記配線板（９２）は、前記ドームスイッチ（９１）の投影領域内に貫通穴（９６）を有し、
前記両面テープ（９５）は、前記貫通穴（９６）投影部を含んだ一部領域（９５a）が切り欠かれると共に、
少なくとも組付け状態で前記領域（９５a）よりも広い領域を覆うように絶縁シート（８５）が前記受け板（８６）に貼付されること
を特徴とする操作装置。
【請求項２】
前記受け板（８６）がステンレス鋼であることを特徴とする請求項１に記載の操作装置。
【請求項３】
前記ドームスイッチ（９１）を複数有することを特徴とする請求項１又は請求項２に記載の操作装置。
【発明の詳細な説明】
【技術分野】
【０００１】
本発明は、カメラやビデオカメラ等の電子機器に備え付ける情報入力装置に関し、特に押し釦を備えた操作スイッチユニットに関する。
【背景技術】
【０００２】
一眼レフカメラ等の電子機器には、各種の操作を行うための操作部材が設けられている。操作部材には単独に配置された釦のほか、例えばファインダー内に表示された複数の焦点検出領域のうち任意の焦点検出領域を選択する手段やメニュー項目を選択する手段として、多方向に傾倒可能な傾倒スイッチや複数個の押下スイッチを設けたものがある。また、カメラの撮影情報をはじめとする各種情報を設定する手段として、ダイヤルの回転方向や回転量に応じて、設定量を変更する回転ダイヤル操作部材を設けたものがある。
【０００３】
しかし、回転または押下操作部材は、回転、押下のためカメラ外装にわずかな隙間を取って組み込まれるのが一般的であるが、撮影者に帯電した静電気が操作部材とカメラ外装の隙間部分に侵入し、カメラ内部の電気回路部を破損する恐れがある。そのため従来から、操作部材に対する外来の静電気によるカメラ内部の電気回路の破壊を防止する試みがなされてきた。
【０００４】
特許文献１には、釦のキートップに設けられた弾性部材が基板のグランドパターンと電気接続されており、外来の静電気をグランドに逃がす構成が開示されている。特許文献２には、基板の外装隙間終端部近傍にグランドパターンを設けるとともに、グランドパターン以外の部分は絶縁シートで覆い、外来の静電気をグランドに逃がす構成が開示されている。
【先行技術文献】
【特許文献】
【０００５】
【特許文献１】特開２００４−１４６２０３号公報
【特許文献２】特開２０１３−２５１１６１号公報
【発明の概要】
【発明が解決しようとする課題】
【０００６】
しかしながら、上述の特許文献１に開示された従来技術では、キートップに新たに導電性の弾性材を組み込むため、コスト面、組立性で不利である。また、弾性材追加によって操作感が損なわれてしまう可能性がある。上述の特許文献２に開示された従来技術では、グランドパターン部を開口するために絶縁シートがいびつな形状となるため加工性、組立性が不利である。また、接触放電させるわけではないので確実な静電気対策とは言えず、例えば釦部に絶縁シートの空気穴を設けている場合はその部分から信号線に静電気が流れてしまう可能性もある。
【０００７】
また、どちらの従来技術も基板上のグランドに静電気を逃がす事を意図した構成であるが、基板上のグランドが常に強固な筺体グランド等に接続できているとは限らず、内部の電子回路を確実に保護できる構成とは言えなかった。
【０００８】
そこで、本発明の目的は、押し釦を備えた情報入力装置において、操作感を損なわない安価な構成で、外来の静電気が電気回路へ流入することを防ぐことを可能にした操作スイッチユニットを提供することにある。
【課題を解決するための手段】
【０００９】
上記の目的を達成するために、本発明に係る操作装置は、
押し釦（８２）、（８３）と、
プリント基板（９０）と、
前記プリント基板（９０）上に実装され前記押し釦（８２）、（８３）が押下されることにより前記プリント基板（９０）の配線板（９２）に形成した銅箔パターンと導通するドームスイッチ（９１）と、
絶縁性を有し、前記ドームスイッチ（９１）を前記プリント基板（９０）に保持する保持シート（９４）と、
前記プリント基板（９０）が取り付けられる金属の受け板（８６）と、
前記プリント基板（９０）を受け板（８６）に取り付けるための両面テープ（９５）と、
を備えた操作装置であって、
前記配線板（９２）は、前記ドームスイッチ（９１）の投影領域内に貫通穴（９６）を有し、
前記両面テープ（９５）は、前記貫通穴（９６）投影部を含んだ一部領域（９５a）が切り欠かれると共に、
少なくとも組付け状態で前記領域（９５a）よりも広い領域を覆うように絶縁シート（８５）が前記受け板（８６）に貼付されること
を特徴とする。
【発明の効果】
【００１０】
本発明によれば、押し釦を備えた情報入力装置において、操作感を損なわない安価な構成で、外来の静電気が電気回路へ流入することを防ぐことを可能にした操作スイッチユニットを提供することができる。
【図面の簡単な説明】
【００１１】
【図１】本実施形態における撮像装置の外観斜視図である。
【図２】本実施形態における操作部ユニットの分解斜視図である。
【図３】本実施形態における操作部ユニットの部分断面図である。
【図４】本実施形態におけるプリント基板を裏面側から見た部分拡大図である。
【発明を実施するための形態】
【００１２】
以下に、本発明の好ましい実施の形態を、添付の図面に基づいて詳細に説明する。
【００１３】
図１（ａ）、（ｂ）に本発明の電子機器の一例としての撮像装置１００の外観図を示す。図１（ａ）は撮像装置１００の前面斜視図であり、図１（ｂ）は撮像装置１００の背面斜視図である。
【００１４】
シャッターボタン６１は撮影指示を行うための操作部である。モード切り替えスイッチ６０は各種モードを切り替えるための操作部である。端子カバー６４は外部機器との接続ケーブルと撮像装置１００とを接続する接続ケーブル等のコネクタ（不図示）を保護するカバーである。メイン電子ダイヤル７１は回転操作部材であり、このメイン電子ダイヤル７１を回すことで、シャッター速度や絞りなど各種設定値の変更等が行える。電源スイッチ７２は撮像装置１００の電源のＯＮ及びＯＦＦを切り替える操作部材である。８０はダイヤルと押し釦からなる操作スイッチユニットである。
【００１５】
サブ電子ダイヤル８１は回転操作部材であり、選択枠の移動や画像送りなどを行える。８２、８３は押し釦であり、８２は主に選択項目の決定などに用いられる。８３は、傾倒操作する押し釦（以下、傾倒操作釦）であり、上、下、左、右に倒すことができ、それぞれの方向への操作が可能である。
【００１６】
拡大ボタン７７は撮影モードのライブビュー表示において拡大モードのＯＮ、ＯＦＦ，及び拡大モード中の拡大率の変更を行うための操作釦である。再生モードにおいては再生画像を拡大し、拡大率を増加させるための拡大ボタンとして機能する。再生ボタン７８は撮影モードと再生モードとを切り替える操作釦である。撮影モード中に再生ボタン７８を押下することで再生モードに移行する。ＬＶレバー７３は静止画撮影モードと動画撮影モードの切り替えを行う操作部材である。ＬＶボタン７４は、静止画撮影モードにおいてライブビューのＯＮとＯＦＦを切り替えるボタンである。
【００１７】
動画撮影モードにおいては、動画撮影（記録）の開始、停止の指示に用いられる。クイックリターンミラー６２は、不図示のシステム制御部３０から指示されて、不図示のアクチュエータにより回動される。通信端子６３は撮像装置１００が不図示の撮影レンズ（着脱可能）と通信を行う為の通信端子である。接眼ファインダー１６は不図示のフォーカシングスクリーンを観察することで、不図示のレンズユニットを通して得た被写体の光学像の焦点や構図の確認を行うための覗き込み型のファインダーである。蓋６６は記録媒体の着脱を可能とするスロットの蓋である。グリップ部６５は、ユーザーが撮像装置１００を構えた際に右手で握りやすい形状とした保持部である。
【００１８】
図２（ａ）は操作部ユニット８０の分解斜視図であり、図２（ｂ）は操作部ユニット８０の構成部品であるフレキシブルプリント基板９０（以下、フレキシブル基板）の分解斜視図である。
【００１９】
図２（ａ）に示すように、操作部ユニット８０は、サブ電子ダイヤル８１と押し釦部から構成されており、押し釦部は、押し釦８２及び傾倒操作釦８３、ゴム部材８４、フレキシブル基板９０、絶縁シート８５、受け板８６を積層した構成となっている。
【００２０】
ここで、ゴム部材８４は、ボタン操作感と静音性を高める目的で配置しているが、撮像装置１００に求める仕様に応じて適宜省略する事も可能である。受け板８６はボタン操作感を高める目的でボタン押下力を受けるために配置した金属板であり、薄板で必要な剛性を満たせるようにステンレス鋼としている。
【００２１】
図２（ｂ）に示すようにフレキシブル基板９０は、エッチングなどにより銅箔パターンが形成された配線板９２にメタルドームスイッチ９１、絶縁部材であるカバーレイ９３及びメタルドームスイッチ保持のためのシート９４（以下、保持シート）を積層した構成となっている。また、フレキシブル基板９０のメタルドームスイッチ９１実装面と逆面（以下、裏面）にはフレキシブル基板９０取り付けに使用される両面テープ９５が貼付されている。
【００２２】
押し釦８２または傾倒操作釦８３が押下されるとフレキシブル基板９０上のメタルドームスイッチ９１が押圧される。メタルドームスイッチ９１はステンレス製のドーム形状のバネであり、中央部を押圧すると頂点部が反転し、押圧を解除すると元に戻るように動作する。
【００２３】
フレキシブル基板の配線板９２には、メタルドームスイッチ９１に対応する位置に銅箔パターンが形成されており、メタルドームスイッチが反転する事により、この銅箔パターンがメタルドームスイッチ内側と接触し導通する。この導通を不図示のカメラ処理回路が検出し、スイッチが操作されたと判断する。
【００２４】
この時、メタルドームスイッチ動作が操作感良く行われるためには空気逃げ穴を設ける必要があり、一般的には保持シート９４にこの空気逃げ穴を設ける事が多い。しかしながら、保持シート９４に穴を設けてしまうと、その部分に静電気の侵入経路を作ってしまうため、本実施例では保持シート９４には空気穴を設けず、配線板９２における各メタルドームスイッチ９１の投影領域内に空気逃げ穴となる貫通穴９６を設けている。
【００２５】
図３は操作部ユニット８０の概略構造を示す部分断面図である。撮影者が帯電している場合、静電気が押し釦８２と傾倒操作釦８３の隙間Ａや傾倒操作釦８３とサブ電子ダイヤル８１の隙間Ｂから印加される可能性がある。
【００２６】
前述の通り、本実施例ではフレキシブル基板９０のメタルドームスイッチ９１実装部は保持シート９４により穴なく絶縁されている。よって、隙間Ａ、Ｂから印加された静電気は、受け板８６に流れ込む可能性が高い。
【００２７】
次に図４を参照してフレキシブル基板９０裏面からの静電気対策に関して説明する。図４（ａ）はフレキシブル基板９０を裏面側から見た部分拡大図であり、図４（ｂ）はフレキシブル基板９０を受け板８６に貼り付けた状態を同様の方向から見た拡大図である。図４（ａ）、（ｂ）において隠れ線は破線で示している。
【００２８】
図４（ａ）に示すように両面テープ９５は、配線板９２の貫通穴９６投影部を含んだ一部領域９５aが切り欠かれた形状となっており、図４（ｂ）に破線の矢印で示した貫通穴９６から受け板８６の中央穴部を結ぶ空気抜け経路が確保出来るようになっている。
【００２９】
この時、受け板８６と貫通穴９６が絶縁されていなければ、受け板８６に静電気が印加された場合に静電気が貫通穴９６からフレキシブル基板９０の配線に流れ込み、カメラ処理回路の誤動作や故障を招いてしまう可能性がある。
【００３０】
そこで本実施例では図４（ｂ）に示すように絶縁シート８５が両面テープ９５を切り欠いた領域９５aよりも広い領域を覆うように受け板８６に貼付けられている。この事により絶縁距離（沿面および空間距離）を確保し、静電気がフレキシブル基板９０の配線に流れ込むことを防いでいる。
【００３１】
ここで絶縁シート８５は例えば、５０μm程度の厚みのＰＥＴシートである。ＰＥＴシートは標準的なグレードのものでも数kVの絶縁破壊電圧を有する物が知られており、比較的安価に入手する事が可能である。
【００３２】
一般的にツェナーダイオードやチップバリスタのような電気部品を回路に追加して静電気対策を行う方法も知られているが、この場合、部品を信号毎に追加するコストが必要である上、実装面積追加分だけプリント基板の拡大が必要となってしまう可能性がある。
【００３３】
対して、本実施例における静電気対策コストは信号数によらず基本的に絶縁シート８５追加分のみであり、そのコスト効果は操作部ユニット８０が有するメタルドームスイッチ９１の数（それに付随する信号数）が多い場合に特に大きいと言える。
【００３４】
以上、本発明の好ましい実施形態について説明したが、本発明はこれらの実施形態に限定されず、その要旨の範囲内で種々の変形及び変更が可能である。
【符号の説明】
【００３５】
８１  サブ電子ダイヤル 、８２  押し釦、８３  押し釦（傾倒操作釦）、
８４  ゴム部材、８５  絶縁シート、８６  受け板、
９０  プリント基板（フレキシブル基板）、９１  メタルドームスイッチ、
９２  配線板、９３  カバーレイ、９４  保持シート、９５  両面テープ
【図１】
2017050225.tif 000003
【図２】
2017050225.tif 000004
【図３】
2017050225.tif 000005
【図４】
2017050225.tif 000006